(57)【要約】【課題】下向きに突出する突出部を有する製品が緩衝材を介して載置される荷役用パレットにおいて、包装部品が大型化したり、搬送コストが増加したりすることを防止するとともに、部品点数の増加を防止してコストの低減を図る。【解決手段】荷役用パレット１０は、上板１２と下板１３とで支柱１４を挟んで構成されている。そして、上板上に緩衝材２６を介して製品２４が載置される。上板には、製品の突出部２７が入り込む切り欠き孔２２があけられ、または切り欠き孔をあけることができるように準備されている。そして、切り欠き孔に製品の突出部を入り込ませて上板上に緩衝材を介して製品が載置される。【選択図】図６
2008254791.tif 000002
【特許請求の範囲】
【請求項１】
上板と下板とで支柱を挟んで構成されており、前記上板上に緩衝材を介して製品が載置される荷役用パレットにおいて、
前記上板に、製品の突出部が入り込む切り欠き孔があけられ、または切り欠き孔をあけることができるように準備されていることを特徴とする荷役用パレット。
【請求項２】
前記切り欠き孔に対応して前記支柱にも、製品の突出部が入り込む逃げ穴が形成されていることを特徴とする、請求項１に記載の荷役用パレット。
【請求項３】
前記上板に半切り線またはミシン目線を設けて前記切り欠き孔をあけることができるように準備されていることを特徴とする、請求項１または２に記載の荷役用パレット。
【請求項４】
前記半切り線またはミシン目線の一部が折り曲げ線とされていることを特徴とする、請求項３に記載の荷役用パレット。
【請求項５】
前記半切り線またはミシン目線で切断するときに指を当てる指当て孔が前記上板に形成されていることを特徴とする、請求項３または４に記載の荷役用パレット。
【発明の詳細な説明】
【技術分野】
【０００１】
この発明は、例えばプリンタ、複写機、ファクシミリなどの製品を梱包して持ち運びする際に使用される荷役用パレットに関する。
【背景技術】
【０００２】
従来、この種の荷役用パレット１は、例えば図８および図９に示すように、段ボールからなる同一長方形状の上板２と下板３とで、平行に配置する直方体形状の複数の支柱４を挟んで構成されている。そして、上板２の上に、四隅の緩衝材５を介して製品６を載置して、不図示の包装箱で覆われていた。
【０００３】
ここで、製品６に、下向きに突出する突出部７があるような場合には、その突出部７が荷役用パレット１に当たらないように、緩衝材５で製品６を高い位置で支えて製品６と荷役用パレット１との間隔ｄを大きくし、輸送中の衝撃などにより突出部７が破損することが防止されていた。
【０００４】
【特許文献１】特開平９−２２１１３４号公報
【特許文献２】特許第２７９００９９号公報
【発明の開示】
【発明が解決しようとする課題】
【０００５】
ところが、製品６と荷役用パレット１との間隔ｄを大きくすると、緩衝材５の高さｔが高くなり、また全体の高さｈも高くなって、緩衝材５や包装箱の大きさが大きくなり、包装部品が大型化したり、搬送コストが増加したりしてコスト高を招くという問題があった。また、突出部７を有しない製品６に対しては、別の緩衝材や包装箱を使用して包装を行うことから、部品点数が増加して部品管理コスト等が増大する問題があった。
【０００６】
そこで、この発明の第１の目的は、下向きに突出する突出部を有する製品が緩衝材を介して載置される荷役用パレットにおいて、包装部品が大型化したり、搬送コストが増加したりすることを防止するとともに、部品点数の増加を防止してコストの低減を図ることにある。
【０００７】
この発明の第２の目的は、輸送中の衝撃などにより製品の突出部が破損されるおそれをなくすことにある。
【０００８】
この発明の第３の目的は、上板と下板との共通化を図って、その上板にのみ切り欠き孔をあけて使用するようにし、部品点数を削減することにある。
【０００９】
この発明の第４の目的は、切り欠き孔の周縁強度を高めて製品の突出部の保護強度を向上することにある。
【００１０】
この発明の第５の目的は、切り欠き孔の形成を容易とすることにある。
【課題を解決するための手段】
【００１１】
この発明は、上述した第１の目的を達成すべく、上板と下板とで支柱を挟んで構成されており、上板上に緩衝材を介してプリンタ、複写機、ファクシミリなどの製品が載置される荷役用パレットにおいて、上板に、製品の突出部が入り込む切り欠き孔があけられ、または切り欠き孔をあけることができるように準備されているものである。そして、あけられた切り欠き孔に製品の突出部を入り込ませて、上板上に緩衝材を介して製品が載置される。
【００１２】
上述した第２の目的を達成すべく、切り欠き孔に対応して支柱にも、製品の突出部が入り込む逃げ穴が形成されているとよい。そして、切り欠き孔に入り込ませた製品の突出部を、支柱の逃げ穴にも入り込ませる。
【００１３】
上述した第３の目的を達成すべく、上板に半切り線またはミシン目線を設けて切り欠き孔をあけることができるように準備されているとよい。そして、この発明による荷役用パレットの上板上に緩衝材を介して製品を載置するとき、上板の厚さの半分までカットした半切り線または断続的にカットしたミシン目線で切り離して切り欠き孔があけられる。
【００１４】
上述した第４の目的を達成すべく、半切り線またはミシン目線の一部が折り曲げ線とされているとよい。そして、一部を残して半切り線またはミシン目線で切り離し、残した一部を折り曲げ線として折り曲げて切り欠き孔があけられる。
【００１５】
上述した第５の目的を達成すべく、半切り線またはミシン目線で切断するときに指を当てる指当て孔が上板に形成されているとよい。そして、切り欠き孔をあけるとき、指当て孔に指を当てて引っ掛けたり押したりし、半切り線またはミシン目線で切り離して切り欠き孔があけられる。
【発明の効果】
【００１６】
この発明によれば、下向きに突出する突出部を有する製品が上板上に緩衝材を介して載置される荷役用パレットにおいて、上板の切り欠き孔に製品の突出部を入り込ませて上板上に緩衝材を介して製品が載置されるので、荷役用パレットと製品との間隔を小さくして緩衝材の高さを低くし、全体を被う包装箱の高さも低くして、緩衝材や包装箱を小さくし、包装部品を小型化したり、搬送コストを低減したりしてコストダウンを図ることができる。また、突出部を有しない製品に対しては、別の緩衝材や包装箱を使用して包装を行う必要がないから、部品点数が増加して部品管理コスト等が増大する問題をなくすことができる。
【００１７】
切り欠き孔に対応して支柱にも、製品の突出部が入り込む逃げ穴が形成されていると、切り欠き孔に入り込ませた製品の突出部を、支柱の逃げ穴にも入り込ませ、支柱で保護して輸送中の衝撃などにより製品の突出部が破損されるおそれをなくすことができる。
【００１８】
上板に半切り線またはミシン目線を設けて切り欠き孔をあけることができるように準備されていると、この発明による荷役用パレットの上板上に緩衝材を介して製品を載置するとき、上板と下板との共通化を図って半切り線またはミシン目線で切り離し、上板にのみ切り欠き孔をあけて使用するようにし、部品点数を削減することができる。
【００１９】
半切り線またはミシン目線の一部が折り曲げ線とされていると、一部を残して半切り線またはミシン目線で切り離し、残した一部を折り曲げ線として折り曲げて切り欠き孔があけられるので、切り欠き孔の周縁強度を高めて製品の突出部の保護強度を向上することができる。
【００２０】
半切り線またはミシン目線で切断するときに指を当てる指当て孔が上板に形成されていると、切り欠き孔をあけるとき、指当て孔に指を当てて引っ掛けたり押したりし、半切り線またはミシン目線で切り離して切り欠き孔をあけ、切り欠き孔の形成を容易とすることができる。
【発明を実施するための最良の形態】
【００２１】
以下、図面を参照しつつ、この発明の実施の最良の形態につき説明する。
図１には、この発明による荷役用パレットを斜め上から見て示す。荷役用パレット１０は、上板１２と下板１３とで複数の支柱１４を挟んで、接着等により組み立てて構成されている。
【００２２】
図２には、上板１２を斜め上から見て示す。
上板１２は、段ボールを用いて、もちろん正方形などでもよいが、図示例では、図２に示すように長方形状につくられており、その短い辺１２ａ寄りの幅方向中央に、ミシン目線１５が矩形状に設けられている。ミシン目線１５は、辺１２ａと平行な線１５ａ、１５ｂと、直角な線１５ｃ、１５ｄとからなる。辺１２ａと平行な線１５ａ、１５ｂのうち、辺１２ａから遠い側の線１５ｂの外側には、指当て孔１６があけられている。なお、ミシン目線１５に代えて、上板１２の厚さの半分を切断した半切り線を設けてもよい。
【００２３】
図３には、下板１３を斜め上から見て示す。
下板１３は、段ボールを用いてつくった、矩形状のミシン目線１５、指当て孔１６を有する上板１５がそのまま使用されている。
【００２４】
図４には、支柱１４を斜め上から見て示す。
支柱１４は、細長い直方体形状をなし、図示例では図１に示すように上板１２と下板１３との間に、長さ方向の両側と中間に互いに平行に配置されている。そして、矩形状のミシン目線１５に対応する位置には、矩形状の逃げ穴１７があけられている。逃げ穴１７は、ミシン目線１５に対応する支柱１４にのみ形成してもよいが、すべての支柱１４に形成して部品の共通化を図るようにしてもよい。
【００２５】
図５には、切り欠き孔が開けられた上板１２を斜め上から見て示す。
使用するときは、上板１２の指当て孔１６に指を当てて引っ掛けたり押したりし、ミシン目線１５の線１５ｂ、１５ｃ、１５ｄで切断して切り離し、その切り起こし片２０を線１５ａに沿って図示するように直角に折り曲げて上板１２に切り欠き孔２２があけられる。そして、その切り起こし片２０が逃げ孔１７内に入るようにして支柱１４の上に上板１２が重ね合わされる。
【００２６】
なお、上板１２に切り欠き孔２２をあけてから支柱１４の上に上板１２を重ね合わせ、荷役用パレット１０の上板１２にあらかじめ切り欠き孔２２があけられているようにした。しかし、切り欠き孔はあけられてはいないが、上板１２を支柱１４上に重ね合わせてから、切り起こし片２０を折り曲げて切り欠き孔２２をあけることができるように、準備されているようにしてもよい。
【００２７】
図６には、この発明による荷役用パレット１０上に、プリンタ、複写機、ファクシミリなどの製品２４を載置した状態を、斜め上から見て示し、図７には、正面から見て示す。
図示するように、荷役用パレット１０上に製品２４を載置するときには、荷役用パレット１０の上板１２の四隅の上にそれぞれ緩衝材２６を配置して接着等により固定してなり、それらの緩衝材２６を介して荷役用パレット１０上に製品２４が載置される。製品２４には、下向きに突出部２７が設けられており、その突出部２７は、このとき、切り欠き孔２２を通して支柱１４の逃げ穴１７に入り込む。そして、全体が不図示の包装箱により被われてなる。
【００２８】
図示例では、製品２４に設ける突出部２７がたまたま１つであり、その１つの突出部２７が切り欠き孔２２を通して支柱１４の逃げ穴１７に入り込む場合について説明したが、突出部は２つ以上あってもよく、それらの突出部が入り込む切り欠き孔や逃げ穴を複数形成するようにしてもよい。突出部と切り欠き孔や逃げ穴の形状も、矩形に限らず、大小も突出部の大きさに合わせて適宜変更することができる。また、突出部と切り欠き孔や逃げ穴は、１対１に限らず、２つ以上の突出部を１つの切り欠き孔に入り込ませるようにしてもよい。
【００２９】
以上のとおり、この発明による荷役用パレット１０は、上板１２と下板１３とで支柱１４を挟んで構成されており、上板１２上に緩衝材２６を介して製品２４が載置される。上板１２に、製品２４の突出部２７が入り込む切り欠き孔２２があけられ、または切り欠き孔２２をあけることができるように準備されている。そして、切り欠き孔２２に製品２４の突出部２７を入り込ませて上板１２上に緩衝材２６を介して製品２４が載置される。よって、荷役用パレット１０と製品２４との間隔Ｄを小さくして緩衝材２６の高さＴを低くし、全体を被う包装箱の高さＨも低くして、緩衝材２６や包装箱を小さくし、包装部品を小型化したり、搬送コストを低減したりしてコストダウンを図ることができる。また、突出部２７を有しない製品２４に対しては、別の緩衝材や包装箱を使用して包装を行う必要がないから、包装部品の増加がなく、部品点数が増加して部品管理コスト等が増大する問題をなくすことができる。
【００３０】
また、切り欠き孔２２に対応して支柱１４にも、製品２４の突出部２７が入り込む逃げ穴１７が形成されていると、切り欠き孔２２に入り込ませた製品２４の突出部２７を、支柱１４の逃げ穴１７にも入り込ませ、支柱１４で保護することができ、輸送中の衝撃などにより製品２４の突出部２７が破損されるおそれをなくすことができる。
【００３１】
さらに、上板１２に半切り線またはミシン目線１５を設けて切り欠き孔２２があけることができるように準備されていると、この発明による荷役用パレット１０の上板１２上に緩衝材２６を介して製品２４を載置するとき、上板１２と下板１３との共通化を図って半切り線またはミシン目線１５で切り離し、上板１２にのみ切り欠き孔２２をあけて使用するようにし、部品点数を削減することができる。
【００３２】
加えて、半切り線またはミシン目線１５の一部が折り曲げ線１５ａとされていると、一部を残して半切り線またはミシン目線１５ｂ、１５ｃ、１５ｄで切り離し、残した一部を折り曲げ線１５ａとして折り曲げて切り欠き孔２２があけられるので、切り欠き孔２２の周縁強度を高めて製品２４の突出部２７の保護強度を向上することができる。
【００３３】
また、半切り線またはミシン目線１５で切断するときに指を当てる指当て孔１６が上板１２に形成されていると、切り欠き孔２２をあけるとき、指当て孔１６に指を当てて引っ掛けたり押したりし、半切り線またはミシン目線１５で切断して切り欠き孔２２をあけ、切り欠き孔２２の形成を容易とすることができる。
【図面の簡単な説明】
【００３４】
【図１】この発明による荷役用パレットの斜視図である。
【図２】その荷役用パレットで用いる上板の斜視図である。
【図３】その荷役用パレットで用いる下板の斜視図である。
【図４】その荷役用パレットで用いる支柱の斜視図である。
【図５】切り欠き孔があけられた上板の斜視図である。
【図６】この発明による荷役用パレット上に製品を載置した状態の斜視図である。
【図７】その正面図である。
【図８】従来の荷役用パレット上に製品を載置した状態の斜視図である。
【図９】その正面図である。
【符号の説明】
【００３５】
１０    荷役用パレット
１２    上板
１３    下板
１４    支柱
１５    ミシン目線
１５ａ  折り曲げ線
１６    指当て孔
１７    逃げ穴
２０    切り起こし片
２２    切り欠き孔
２４    製品
２６    緩衝材
２７    突出部
【図１】
2008254791.tif 000003
【図２】
2008254791.tif 000004
【図３】
2008254791.tif 000005
【図４】
2008254791.tif 000006
【図５】
2008254791.tif 000007
【図６】
2008254791.tif 000008
【図７】
2008254791.tif 000009
【図８】
2008254791.tif 000010
【図９】
2008254791.tif 000011